【手続補正書】
【提出日】平成16年11月15日(2004.11.15)
【手続補正１】
【補正対象書類名】明細書
【補正対象項目名】特許請求の範囲
【補正方法】変更
【補正の内容】
【特許請求の範囲】
【請求項１】
固定シャフトの軸線方向に離れた二箇所に配設された一対の円盤状のスラストプレートと、
前記シャフトの前記一対のスラストプレート間に位置する外周面にラジアル微小間隙を介して半径方向に対向する内周面を有するジャーナル部と該ジャーナル部の両端部にそれぞれ形成され前記一対のスラストプレートの軸線方向内側面にそれぞれスラスト微小間隙を介して軸線方向に対向する周状平面を形成する一対の環状の段部とによって規定される中央孔が貫通された筒状の回転スリーブと、
前記ラジアル微少間隙並びに前記両スラスト微小間隙の少なくとも一部に保持される潤滑油と、
前記潤滑油に前記回転スリーブの回転に応じて動圧を誘起する動圧発生手段と、
前記中央孔の両端開口に位置し前記一対のスラストプレートのそれぞれの軸線方向外側面に対向配置された一対の環状のカウンタプレートとを備えた動圧軸受装置において、
前記ラジアル微小間隙を規定する前記シャフトの外周面及び前記ジャーナル部の内周面の少なくともいずれか一方には前記動圧発生手段が形成されてラジアル軸受部が構成され、前記両スラスト微小間隙をそれぞれ規定する前記一対のスラストプレートのそれぞれの軸線方向内側面及び前記一対の段部のそれぞれの周状平面の少なくともいずれか一方には前記動圧発生手段が形成されて一対のスラスト軸受部が構成され、
前記一対のカウンタプレートはプレス加工によって形成されていることを特徴とする動圧軸受装置。
【請求項２】
前記一対のスラストプレートの外周面とこれに半径方向に対向する前記中央孔の内周面との間には、前記スラスト軸受部に保持される前記潤滑油に連続して潤滑油が保持されるとともに、前記一対のスラストプレートの外周面と前記中央孔の内周面との間に規定される間隙は、それぞれ軸線方向外側に向かって半径方向寸法が拡大するよう形成され、当該間隙中において前記潤滑油の外気との境界面が形成されていることを特徴とする請求項１に記載の動圧軸受装置。
【請求項３】
前記一対のカウンタプレートは、前記一対のスラストプレートの軸線方向外側面に軸線方向に対向する軸線方向内側面を有する環状の底壁と、該底壁の半径方向内端部が軸線方向外側に曲折されて円形開口を規定する筒状内周壁と、該底壁の半径方向外端部が軸線方向外側に曲折されて前記中央孔の内周面に対する当接面となる筒状外周壁とを有してなり、前記シャフトの両端部は前記一対のスラストプレートの軸線方向外側に延設されて前記円形開口内に挿通されるとともに、前記一対のスラストプレートの外周面と前記中央孔の内周面との間に規定される間隙に連続して、前記一対のカウンタプレートの底壁の軸線方向内側面と前記スラストプレートの軸線方向外側面との間には軸線方向寸法が半径方向内方に向かって拡大する間隙が規定されており、前記スラスト軸受部に保持される潤滑油の外気との境界面は、前記回転スリーブの回転速度に応じて前記一対のスラストプレートの外周面と前記中央孔の内周面との間に規定される間隙と前記一対のカウンタプレートの底壁の軸線方向内側面と前記スラストプレートの軸線方向外側面との間に規定される間隙との間を移動可能であることを特徴とする請求項２に記載の動圧軸受装置。
【請求項４】
前記シャフトの外周面と前記一対のカウンタプレートの筒状内周壁の内周面との間には、前記スラストプレートの軸線方向外側面と前記カウンタプレートの底壁の軸線方向内側面との間に規定される間隙よりも小さな微小間隙が構成されていることを特徴とする請求項３に記載の動圧軸受装置。
【請求項５】
前記一対のカウンタプレートの筒状外周壁の外径は、前記環状切欠の内径よりも大径であることを特徴とする請求項３に記載の動圧軸受装置。
【請求項６】
前記一対のスラストプレートは、前記シャフトに固着される円筒状部と該円筒状部の軸線方向内側端部から半径方向外方に延設され前記段部の周状平面との間に前記スラスト軸受部を構成する軸線方向内側面を有する円盤状部とからなり、前記一対のカウンタプレートは、前記一対のスラストプレートにおける円盤状部の軸線方向外側面に軸線方向に対向する軸線方向内側面を有する環状且つ略平板状の底壁と、該底壁の半径方向内端部が曲折されて軸線方向内側に開口する環状空間を規定し且つ該底壁より軸線方向外側に突設される環状の袋状部とを有してなり、前記一対のカウンタプレートの底壁の軸線方向内側面と前記スラストプレートの円盤状部の軸線方向外側面との間には軸線方向寸法が半径方向内方に向かって拡大する間隙が規定されており、前記スラスト軸受部に保持される潤滑油の外気との境界面は、前記一対のカウンタプレートの底壁の軸線方向内側面と前記スラストプレートの円盤状部の軸線方向外側面との間に規定される間隙中にあることを特徴とする請求項１に記載の動圧軸受装置。
【請求項７】
前記一対のカウンタプレートの袋状部は、前記底壁に連続する外周壁と、該外周壁の半径方向内方に位置してその内周面で円形開口を規定する内周壁と該外周壁と内周壁との間を連結する連結壁とによって環状空間を規定しており、前記外周壁は前記連結壁から前記底壁に向かって前記袋状部の開口の半径方向寸法が拡大するよう半径方向外方に傾斜して設けられていることを特徴とする請求項６に記載の動圧軸受装置。
【請求項８】
前記シャフトの両端部は前記一対のスラストプレートの軸線方向外側に延設されて前記袋状部の内周壁の内周面によって規定される円形開口内に挿通されるとともに、前記一対のスラストプレートの円筒状部の外周面と前記一対のカウンタプレートの内周壁の内周面との間には、前記スラストプレートの円盤状部の軸線方向外側面と前記カウンタプレート底壁の軸線方向内側面との間に規定される間隙よりも小な微小間隙が構成されていることを特徴とする請求項７に記載の動圧軸受装置。
【手続補正２】
【補正対象書類名】明細書
【補正対象項目名】００６８
【補正方法】削除
【補正の内容】
【手続補正３】
【補正対象書類名】明細書
【補正対象項目名】００６９
【補正方法】削除
【補正の内容】
【手続補正４】
【補正対象書類名】明細書
【補正対象項目名】００７０
【補正方法】削除
【補正の内容】
【手続補正５】
【補正対象書類名】明細書
【補正対象項目名】００７１
【補正方法】削除
【補正の内容】
【手続補正６】
【補正対象書類名】明細書
【補正対象項目名】００７２
【補正方法】変更
【補正の内容】
【００７２】
本発明の請求項２に記載の動圧軸受装置によれば、スラスト軸受部の潤滑油を、一対のスラストプレートの外周面とこれと半径方向に対向する回転スリーブの中央孔の内周面との間に形成される半径方向間隙を軸線方向外側に向かって間隙寸法が拡大するよう形成し、この間隙中に潤滑油と外気との境界面のメニスカスが位置するよう連続して保持することで、オイルマイグレーション現象によって軸受外部方向へと滲出した場合でも、軸受外部に至るまでの移動距離が長くなるとともに、回転スリーブの回転時に遠心力の作用によって滲出した潤滑油が境界面へと環流することとなるため、潤滑油の軸受外部への漏出を防止することができる。
【手続補正７】
【補正対象書類名】明細書
【補正対象項目名】００７３
【補正方法】変更
【補正の内容】
【００７３】
本発明の請求項３に記載の動圧軸受装置によれば、一対のスラストプレートの外周面とこれと半径方向に対向する回転スリーブの中央孔の内周面との間に形成される間隙寸法が軸線方向外側に向かって拡大する半径方向間隙に連続する、一対のスラストプレートの軸線方向外側面とこれに軸線方向に対向する一対のカウンタプレートの軸線方向内側面との間に形成される軸線方向間隙を半径方向内方に向かって拡大するよう形成することで、回転スリーブの回転速度に応じて、潤滑油の境界面が、軸線方向を向くスラストプレートの外周面と回転スリーブの中央孔の内周面との間に形成される間隙からスラストプレートの軸線方向外側面とカウンタプレートの軸線方向内側面との間に形成される間隙へと移動可能となることから、軸受外部に至るまでの移動距離が長くなり、潤滑油の軸受外部への漏出を効果的に防止することができる。
【手続補正８】
【補正対象書類名】明細書
【補正対象項目名】００７５
【補正方法】変更
【補正の内容】
【００７５】
本発明の請求項４に記載の動圧軸受装置によれば、一対のカウンタプレートの円筒状内周壁の内周面とシャフトの外周面との間に規定される微小間隙の半径方向の寸法を可能な限り小に設定することによって、潤滑油が気化することによって生じた蒸気の軸受外部への流出抵抗を大にして潤滑油の境界面近傍に於ける蒸気圧を高く保てるので更なる潤滑油の蒸散を有効に阻止することができる。
【手続補正９】
【補正対象書類名】明細書
【補正対象項目名】００７６
【補正方法】変更
【補正の内容】
【００７６】
本発明の請求項５に記載の動圧軸受装置によれば、プレス加工によって形成される一対のカウンタプレートの円筒状外周壁の外径を環状切欠の内径よりも大径にすることで、カウンタプレートの弾性復元力によって、両部材が相互に圧接し合うこととなるため、カウンタプレートの回転スリーブに対する締結強度を向上することができるとともに、円筒状外周面の外周面と環状切欠の内周面とが相互に密着状に圧接し合うこととなるため、両部材の接合面を通じて潤滑油が軸受外部へ漏出することが防止される。
【手続補正１０】
【補正対象書類名】明細書
【補正対象項目名】００７７
【補正方法】変更
【補正の内容】
【００７７】
本発明の請求項６に記載の動圧軸受装置によれば、スラスト軸受部の潤滑油が、回転スリーブの回転の停止時にオイルマイグレーション現象あるいは外的な衝撃や振動の印加等によって軸受外部方向に滲出又は漏出した場合でも、一対のカウンタプレートに形成される袋状部で確実に捕捉し、潤滑油の軸受外部への漏出を防止することができる。
【手続補正１１】
【補正対象書類名】明細書
【補正対象項目名】００７９
【補正方法】変更
【補正の内容】
【００７９】
本発明の請求項７に記載の動圧軸受装置によれば、袋状部の環状空間内に捕捉された潤滑油を、回転スリーブの回転時に潤滑油に作用する遠心力によって、この袋状部よりも半径方向外側に位置する底壁の軸線方向内側面とスラストプレートの軸線方向外側面との間に位置する潤滑油と外気との境界面方向に圧送されることで環流することができ、潤滑油の軸受外部への漏出による早期の枯渇を防止することができ、軸受の信頼性及び耐久性を向上することができるため、安定した軸支持力を長期にわたって維持することができる。
【手続補正１２】
【補正対象書類名】明細書
【補正対象項目名】００８１
【補正方法】変更
【補正の内容】
【００８１】
本発明の請求項８に記載の動圧軸受装置によれば、一対のスラストプレートの円筒状部の外周面と一対のカウンタプレートの袋状部の内周壁の内周面との間の間隙の半径方向の寸法を、可能な限り小に設定することによって、潤滑油が気化することによって生じた蒸気の軸受外部への流出抵抗を大にして潤滑油の境界面近傍に於ける蒸気圧を高く保てるので更なる潤滑油の蒸散を有効に阻止することができる。